(57)【要約】【課題】侵入防止部材の取付状態の良好化と取付作業の円滑化を図る。【解決手段】遊技盤１０と、不正対策部位Ｆの左端部側に第１の被掛止部Ｑを有するレール部材ｒと、ガラス扉枠４と、略円弧状に配置される基体部及び延出部を具備する侵入防止部材６００と、支持部（６０７）に第２の被掛止部５０７ａを設けた開口させた証紙台５００と、を備える。基体部の上面部から突出する第１の突出片と、第１の被掛止部Ｑに掛止される掛止片と、を有する第１の取付用突起６１３が、基体部の左端部側に設けられる。また、基体部の下面部から突出する第２の突出片によって構成されると共に第２の被掛止部５０７ａに挿入されてその内壁部に掛止される第２の取付用突起６１４が、基体部の右端部側に設けられる。【選択図】図１０
2010274136.tif 000002
【特許請求の範囲】
【請求項１】
遊技領域を形成するための遊技領域形成部を前面部に備える遊技盤と、
該遊技盤の前面部において前方に突出する状態に配設されると共に、前記遊技領域の略円形状の外縁部を構成する領域レール部を備えるレール部材と、
前記遊技盤の前面部の前方に配置され、前記領域レール部の突端部との間に隙間部を形成するガラス扉枠と、
上面部を、前記領域レール部の下半側部分から選択される前記不正対策部位の外側面に沿わせつつ略円弧状に配置される基体部と、該基体部から延出して前記ガラス扉枠に当接する状態に配置される延出部と、を具備する侵入防止部材と、
前記遊技盤の前面部において前記不正対策部位の外側面の外側に位置する部位に装着され、前記不正対策部位の左右方向に沿った一端部側と対向する位置に前記基体部の左右方向に沿った一端部側を支持するための支持部を具備し、該支持部に穴状、孔状若しくは溝状の被掛止部を、前記遊技領域の中心部の方向に向かって開口させた第１の外側装着部材と、
前記遊技盤の前面部において前記不正対策部位の外側面の外側に位置する部位に装着され、前記不正対策部位の左右方向に沿った他端部側と対向する位置に前記基体部の左右方向に沿った他端部側を支持するための支持部を具備し、該支持部に穴状、孔状若しくは溝状の被掛止部を、前記遊技領域の中心部の方向に向かって開口させた第２の外側装着部材と、
を備える遊技機であって、
前記基体部の左右方向に沿った各端部側に、前記基体部の下面部から突出する突出片によって構成されると共に、対応する前記被掛止部に、前記遊技領域の中心部から遠ざかる方向に向かって挿入されて前記被掛止部の内壁部に掛止される取付用突起が、各々設けられたことを特徴とする遊技機。
【請求項２】
前記被掛止部は、前方に向かって開放されることで、前記取付用突起を前方から進入可能としていることを特徴とする請求項１に記載の遊技機。
【請求項３】
前記第１の外側装着部材及び前記第２の外側装着部材のうちの少なくとも一方が、前記遊技機に関する情報を表示するための表示部を備える遊技機情報表示部材であることを特徴とする請求項１又は２に記載の遊技機。
【請求項４】
前記基体部の左右方向に沿った他端部側には、前記基体部の下面部から下り傾斜状に突出すると共に、自由端を前記基体部の下面部に近接させて撓んだ状態とすると、該自由端を前記基体部の下面部から離間させるような付勢力を生じさせる下部板バネ部が設けられ、
前記下部板バネ部を前記撓んだ状態としつつ、前記下部板バネ部の突端部側を前記支持部に当接する状態とし、
前記基体部の左右方向に沿った他端部側を、前記下部板バネ部の付勢力を用いて前記不正対策部位の外側面に圧接させたことを特徴とする請求項１〜３のうちの何れか一項に記載の遊技機。
【請求項５】
前記基体部の左右方向に沿った他端部側には、前記基体部の上面部から上り傾斜状に突出すると共に、自由端を前記基体部の上面部に近接させて撓んだとすると、該自由端を前記基体部の上面部から離間させるような付勢力を生じさせる上部板バネ部が設けられ、
前記上部板バネ部を前記撓んだ状態としつつ、前記上部板バネ部の突端部側を前記不正対策部位に外側面に当接する状態とし、
前記基体部の左右方向に沿った他端部側を、前記上部板バネ部の付勢力を用いて前記支持部に圧接させたことを特徴とする請求項１〜３のうちの何れか一項に記載の遊技機。
【請求項６】
前記基体部は、略帯状の板状物を用いて構成される芯部材と、該芯部材の構成素材よりも軟質な構成素材を用いて構成されると共に前記芯部材の上面部及び下面部のうちの少なくとも一方を被覆する表皮部材と、を備え、
前記延出部は、前記表皮部材と同一の構成素材を用いて、前記表皮部材と一体的に設けられることを特徴とする請求項１〜５の何れか一項に記載の遊技機。
【請求項７】
前記侵入防止部材において、少なくとも、前記延出部に対して、透視度低下処理を施したことを特徴とする請求項１〜６の何れか一項に記載の遊技機。
【発明の詳細な説明】
【技術分野】
【０００１】
本発明は、遊技機に関し、特に、いわゆるセブン機、権利物等の弾球遊技機に適用されるものである。
【背景技術】
【０００２】
弾球遊技機は、通常、（１）パチンコホールの島設備の設置部位に固定される外枠と、（２）この外枠の左右方向に沿った一側に開閉自在に取り付けられ上部に開口部が形成された中枠と、（３）中枠の開口部に着脱自在に取り付けられる遊技盤と、（４）遊技盤の前面部を覆うガラス板を具備するガラス扉枠（前面枠）と、（５）中枠の前面部のうちで遊技盤の装着位置よりも下方側の部位に開閉自在に取り付けられると共に、遊技機内から排出される遊技球を貯留するための上皿部を備える受皿扉部材と、を備えている。
【０００３】
遊技盤の前面部には、「外側レールと内側レールとを備えるレール部材」が前方に突出する状態に配置され、このレール部材を構成する領域レール部を用いて遊技領域の略円形の外縁部（外周壁）を構成している。つまり、遊技盤の前面部には、（Ａ）帯状の金属板を、開口部を下方に向けた略円弧形状（Ｃの字状）としつつ配置して構成される外側レールと、（Ｂ）外側レールの配置箇所の内側において、帯状の金属板を、開口部を上方に向けた略円弧形状（Ｃの字状）としつつ配置して構成される内側レールと、が配設される。
【０００４】
この遊技盤の前面部においては、遊技盤の右側の下方から打ち出され、左上がり傾斜状の発射レールに沿って上昇した遊技球は、遊技盤の左端側において外側レールと内側レールとの間の誘導通路を経て遊技盤の左上部に導かれる。そしてこの遊技球は、内側レールの左上端部と、外側レールの左上端部との間に形成される入口部を通じて、内側レールの略全体と、外側レールの上部側の部分とで取り囲まれた遊技領域内に放出される。そして、この遊技領域内においては、最下部にアウト口が設けられ、この最下部よりも上方の位置に各種の入賞装置が配設されている。
【０００５】
この弾球遊技機が、例えば、セブン機である場合、遊技領域内に、始動入賞装置（始動口）と、大入賞装置と、を配設している。また、この弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果図柄の確定表示等を行う図柄表示手段（例えば、液晶表示装置等によって構成）と、を備えている。
【０００６】
この大入賞装置は、通常、入賞口（入球口の一具体例を構成すると共に、大入賞装置への遊技球の入口となる部分であって、一般には、大入賞口と称されている。）と、入賞口の開閉を行うための開閉部材と、当該入賞口を通じて入賞した遊技球を検出するための入賞球検出手段（入賞球検出スイッチ）と、を具備している。このうち、開閉部材は、通常、略扉状に構成され、遊技盤の前面部に設けられる取付部に取付られている。この開閉部材は、下端部側に傾動支点を設けつつ、前後に傾動可能（回動可能）な状態とされている。この開閉部材は、「入賞口を閉鎖する起立姿勢」及「入賞口を開放する前傾姿勢」の間で適宜、姿勢変更を行うことが可能とされている。そして、この開閉部材の姿勢は、入賞口の開放許容条件の不成立時に起立姿勢とされ、入賞口の開放許容条件の成立時に前傾姿勢とされる。
【０００７】
ここで、「通常遊技状態」とは、入賞口の開放許容条件を継続的に不成立とし、「入賞口の閉鎖状態を継続する遊技状態」を指す。また、「大当り遊技状態」とは、入賞口の開放許容条件を、所定回数に渡って間欠的に成立させ、「入賞口の開放状態を、間欠的に実現させる遊技状態」を指す。また、以下の説明において、開閉部材の姿勢を、起立姿勢から前傾姿勢に変更し、再び、起立姿勢に戻す動作、つまり、入賞口を開閉する動作を、「単位動作」と称することがある。
【０００８】
このセブン機では、「始動入賞装置への遊技球の入賞（以下、「始動入賞」という。）」を検出することを前提として、前述の「判定」の実行条件（つまり、判定実行条件）が成立する。更に、この「判定の結果を示す図柄（判定結果図柄）」の表示実行条件が成立すると、図柄表示手段において、先ず、演出表示が実行される。この演出表示は、通常、「複数の識別図柄（つまり、特別図柄）」を順次、循環表示することを内容とする表示（つまり、変動表示）である。そして、この演出表示を所定の変動時間行った後に、図柄表示手段において、判定結果図柄が確定表示（停止表示）される。
【０００９】
この判定結果図柄が、大当り図柄（判定結果が大当りであったことを示す図柄）である場合（例えば、「７，７」若しくは「７，７，７」等、構成図柄をゾロ目状態に表示してなる「ゾロ目図柄」である場合等）には、遊技機の遊技状態が「通常遊技状態」から「大当り遊技状態（特別遊技状態）」に移行する。そして、遊技機の遊技状態が「大当り遊技状態（特別遊技状態）」に移行すると、開閉部材に、所定の回数（所謂、「ラウンド数」であって、例えば、１４〜１６回）に渡って「単位動作」が施される。
【００１０】
つまり、遊技機の遊技状態が「大当り遊技状態（特別遊技状態）」に移行すると、開閉部材の開放動作を行って、閉鎖状態にある大入賞装置を開放状態に変化させる。これにより、入賞口への遊技球の入賞が可能となる。この後、この入賞口に所定個数の遊技球が入賞するか、所定時間が経過することにより、一旦、開閉部材の閉鎖動作を行い（開閉部材の姿勢を起立姿勢に戻し）、大入賞装置を閉鎖状態とし、開閉部材に施される「１回の単位動作」を完了する。つまり、開閉部材の姿勢を閉鎖姿勢から開放姿勢に変更し、再び、閉鎖姿勢に戻す、単位動作を完了する。そして、この「開閉部材の単位動作」が、所定の回数（所謂、「ラウンド数」）だけ繰り返されると、この遊技機の遊技状態は「大当り遊技状態」から「通常遊技状態」に戻される。
【００１１】
ところが、この大入賞装置のような「開閉式の入賞装置（以下、「可変入賞装置」という。）を備える遊技機においては、不正行為の対象となることがある。つまり、遊技盤と、その前方に配置されるガラス扉枠との間に構成される空間部分に、ガラス扉枠の下方から、ピアノ線や針金のような部材（以下、「不正部材」という。）を差し込み、この不正部材によって、可変入賞装置を無理に開放させ、この可変入賞装置に遊技球を不正に入賞させる不正行為が行われることがある。
【００１２】
例えば、「大入賞装置」においては、不正部材の先端部を開閉部材（アタッカー）に係止し、この不正部材によって、開閉部材（アタッカー）の姿勢を、無理に、前傾姿勢に変化させる不正行為が行われることがある。つまり、当該遊技機の遊技状態が、実際には、通常遊技状態であるにもかかわらず（開放許容条件が不成立であるにもかかわらず）、開閉部材の姿勢を無理に前傾姿勢に変化させ、入賞口に不正に遊技球を入球（入賞）させ、不正に賞球を得ようとする不正行為が行われることがある。
【００１３】
かかる「不正行為の防止」を図ることを意図して、種々の侵入防止手段が提案されている。例えば、「領域レール部の下半側部分から選択される不正対策部位」に対して、密接状に装着される侵入防止部材を用いて構成される侵入防止手段が提案されている（特許文献１を参照）。つまり、この侵入防止部材は、不正対策部位の外側面に沿うように略円弧状に配置される円弧状部分（平板部及び受溝部）と、円弧状部分の外縁からガラス扉枠の方向（前方）に向けて延出される挿入阻止片と、を具備する。そして、この侵入防止部材では、ガラス扉枠を閉じた状態で、挿入阻止片がガラス扉枠の裏面部（例えば、ガラスの裏面部）に当接するように構成されている。尚、本明細書において「不正対策部位」とは、領域レール部の下半側部分のうちで、「不正部材の侵入を防止するための対策を施すべき部位」であって、例えば、「内側レールのうちで、その最下部を含む円弧状の部位」によって構成される。
【先行技術文献】
【特許文献】
【００１４】
【特許文献１】特開平９−２０１４６３号公報
【発明の概要】
【発明が解決しようとする課題】
【００１５】
この種の侵入防止部材では、取付状態の良好化の要請と取付作業の円滑化の要請とを同時に満足させることが困難である。つまり、この種の侵入防止部材の取り付けには、例えば、（１）侵入防止部材の両端部を含む複数箇所を、ビスを用いて不正対策部位に取り付ける手法（以下、「取付手法１」という。）が用いられる。また、図２６に示すように、（２）侵入防止部材９００の両端部側に対して、遊技領域の中心部方向に突出すると共に略フック形状の取付部９０１、９０２を設け、不正対策部位９５０の両端部に被取付孔９５１、９５２を設ける。そして、侵入防止部材９００の左端部側の取付部９０１を、不正対策部位９５０の左端部側の被取付孔９５１に取り付け、侵入防止部材９００の右端部側の取付部９０２を、不正対策部位９５１の右端部に被取付孔９５２に取り付けて、侵入防止部材９００を不正対策部位９５０に取り付ける手法（以下、「取付手法２」という。）が用いられいる。
【００１６】
ところが、取付手法１を用いる場合、侵入防止部材の不正対策部位に対する密着度を高めて、侵入防止部材の取付状態の良好化を図ることが容易であるが、この侵入防止部材の取付作業の円滑化を図ることは困難である。蓋し、侵入防止部材の取付作業に際しては、面倒なビス止め作業を行うことが必要であるからである。
【００１７】
一方、取付手法２を用いる場合、侵入防止部材９００の取付作業の円滑化を図ることが容易であるが、侵入防止部材９００の取付状態の良好化を図ることは困難である。蓋し、取付手法２を用いると、侵入防止部材９００が不正対策部位９５０に対して密着せず、下方に弛んだ状態となり易いからである。より具体的には、取付手法２を用いる場合、左右の取付部９０１、９０２の間隔を左右の被取付孔９５１、９５２の間隔よりも、若干、大きめに設定し、左右の取付部９０１、９０２の間隔と、左右の被掛止孔９０１、９０２の間隔との間のクリアランス（遊び）を設けなければ、侵入防止部材９００の取り付けを行うことが困難となる。つまり、一方の取付部９０１を一方の被取付孔９５１に取り付けた後、侵入防止部材９００を不正対策部位９５０（内側レール）の周方向に若干、スライドさせて、他方の取付部９０２を他方の被取付孔９５２に取り付け、侵入防止部材９００の取付を完了することになる。このため、取付手法２を用いる場合、侵入防止部材９００の取付後に、左右の取付部９０１、９０２の間隔と、左右の被取付孔９５１、９５２の間隔との間のクリアランス（遊び）の分だけ、侵入防止部材が下方に弛んだ状態となり易いからである。
【００１８】
そして、この弛みを発生すると、以下のような不具合を生ずる。即ち、不正対策部位９５０の下方には、通常、前述の発射レールが配設される。このため、侵入防止部材９００に弛みが発生すると、発射レール上の遊技球（発射球）が侵入防止部材９００に接触し、球飛びが不安定になる等の問題を生ずることがある。
【００１９】
尚、図２６に示すように、侵入防止部材９００の左右両端部側に対して、遊技領域の中心部方向に略直線状に突出する突出片９６１、９６２を設け、不正対策部位９５０の両端部に被取付孔９５１、９５２を設ける態様を例示することもできる。この態様では、各突出片９６１、９６２を対応する被取付孔９５１、９５２に挿入し、各突出片９６１、９６２を遊技領域の内側に臨ませる。そして、各突出片９６１、９６２を、不正対策部位９５０（内側レール）の周方向に屈曲させて、侵入防止部材９００の取付を完了することになる。この態様によると、侵入防止部材９００の取付状態の良好化を図ることができるが、侵入防止部材９００の取付作業が煩雑となる。蓋し、侵入防止部材９００の取付作業の際に、各突出片９６１、９６２を屈曲させる作業が必要となるが、その作業は、前述の「ビス止め作業」と同様に、煩雑で作業性が悪いからである。
【００２０】
本発明は、このような問題を解決するためになされたものであり、その目的とするところは、侵入防止部材の取付状態の良好化の要請と取付作業の円滑化の要請とを同時に満足させることができる遊技機を提供することである。
【００２１】
本発明の他の目的は、侵入防止部材の取付状態の良好化の要請と取付作業の円滑化の要請とを同時に満足させることができる侵入防止手段を提供することである。
【課題を解決するための手段】
【００２２】
請求項１に記載の遊技機は、
遊技領域を形成するための遊技領域形成部を前面部に備える遊技盤と、
該遊技盤の前面部において前方に突出する状態に配設されると共に、前記遊技領域の略円形状の外縁部を構成する領域レール部を備えるレール部材と、
前記遊技盤の前面部の前方に配置され、前記領域レール部の突端部との間に隙間部を形成するガラス扉枠と、
上面部を、前記領域レール部の下半側部分から選択される前記不正対策部位の外側面に沿わせつつ略円弧状に配置される基体部と、該基体部から延出して前記ガラス扉枠に当接する状態に配置される延出部と、を具備する侵入防止部材と、
前記遊技盤の前面部において前記不正対策部位の外側面の外側に位置する部位に装着され、前記不正対策部位の左右方向に沿った一端部側と対向する位置に前記基体部の左右方向に沿った一端部側を支持するための支持部を具備し、該支持部に穴状、孔状若しくは溝状の被掛止部を、前記遊技領域の中心部の方向に向かって開口させた第１の外側装着部材と、
前記遊技盤の前面部において前記不正対策部位の外側面の外側に位置する部位に装着され、前記不正対策部位の左右方向に沿った他端部側と対向する位置に前記基体部の左右方向に沿った他端部側を支持するための支持部を具備し、該支持部に穴状、孔状若しくは溝状の被掛止部を、前記遊技領域の中心部の方向に向かって開口させた第２の外側装着部材と、
を備える遊技機であって、
前記基体部の左右方向に沿った各端部側に、前記基体部の下面部から突出する突出片によって構成されると共に、対応する前記被掛止部に、前記遊技領域の中心部から遠ざかる方向に向かって挿入されて前記被掛止部の内壁部に掛止される取付用突起が、各々設けられたことを特徴とする。
【００２３】
請求項１の発明では、左右の両取付用突起を、被掛止部に挿入されて、その内壁部に掛止される構成とする。このため、両取付用突起の間隔と、両被掛止部の間隔と、の間のクリアランス（遊び）を無くしたり、このクリアランスを少なくしても、侵入防止部材の取付作業を円滑に行うことができる。
【００２４】
具体的には、遊技領域の半径外側方向に突出する両取付用突起を、そのまま（第２の取付用突起を、不正対策部位の周方向にスライドさせることなく）、対応する被掛止部に挿入し、侵入防止部材の両端部側を対応する外側装着部材に取り付け（引っ掛け）ればよい。このため、請求項１の発明では、両取付用突起の間隔と、両被掛止部の間隔と、の間のクリアランス（遊び）を無くしたり、このクリアランスを少なくしても、侵入防止部材の取付を円滑に行うことができる。
【００２５】
請求項１の発明では、このように、前記クリアランス（遊び）を無くするか、少なくすると共に、不正対策部位の左右方向に沿った他端部側が、外側装着部材（支持部）によって支持される。このため、侵入防止部材が、不必要に下方に弛んだ状態となることはない。従って、請求項９の発明の遊技機によると、侵入防止部材の取付状態の良好化の要請と取付作業の円滑化の要請とを同時に満足させることができる。尚、第１の外側装着部材及び第２の外側装着部材を別体としてもよいし、一体としてもよい。
【００２６】
請求項２の遊技機は、請求項１の発明の遊技機において、
前記被掛止部は、前方に向かって開放されることで、前記取付用突起を前方から進入可能としていることを特徴とする。
【００２７】
請求項２の発明では、被掛止部が前方（遊技機の前方）に向かって開放されるため、取付用突起を被掛止部に挿入することがより一層、容易となる。このため、侵入防止部材の取付作業のより一層、円滑化を図ることができる。
【００２８】
請求項３の遊技機は、請求項１若しくは請求項２の遊技機において、
前記第１の外側装着部材及び前記第２の外側装着部材のうちの少なくとも一方が、前記遊技機に関する情報を表示するための表示部を備える遊技機情報表示部材であることを特徴とする。
【００２９】
請求項３の発明では、「情報の表示を行うために遊技盤に装着される部材（遊技機情報表示部材）」を用いて、外側装着部材を構成する。つまり、「侵入防止部材を支持するためのだけに用いる部材」を遊技機に付加することなく、請求項１の発明の目的（侵入防止部材の取付状態の良好化の要請と取付作業の円滑化の要請とを同時に満足させること）を達成することを意図している。従って、請求項３の発明によると、遊技機に加える改良を少なくしつつ、請求項１の発明の目的を達成することができる。
【００３０】
ここで、請求項３の発明の「遊技機情報表示部材」としては、所謂「証紙台」を例示することができる。この「証紙台」は、所謂「証紙」を保持（貼付）した状態で、遊技盤に装着される部材である。この「証紙」には、遊技機に関する情報（製造メーカ、製造番号等）が表示される。
【００３１】
請求項４の遊技機は、請求項１から３の遊技機において、
前記基体部の左右方向に沿った他端部側には、前記基体部の下面部から下り傾斜状に突出すると共に、自由端を前記基体部の下面部に近接させて撓んだ状態とすると、該自由端を前記基体部の下面部から離間させるような付勢力を生じさせる下部板バネ部が設けられ、
前記下部板バネ部を前記撓んだ状態としつつ、前記下部板バネ部の突端部側を前記支持部に当接する状態とし、
前記基体部の左右方向に沿った他端部側を、前記下部板バネ部の付勢力を用いて前記不正対策部位の外側面に圧接させたことを特徴とする。
【００３２】
請求項４の発明では、下部板バネ部の付勢力を利用して、基体部の左右方向に沿った他端部側を不正対策部位の外側面に密着させるため、侵入防止部材が不正対策部位の外側面に対してより確実に密着する。従って、請求項４の発明によると、「侵入防止部材の弛み」をより一層、確実に防止できる。
【００３３】
下部板バネ部は、基体部に一体的に設けられても、基体部と別体の板バネによって構成されてもよい。また、基体部に一体的に設ける態様では、基体部若しくはその一部を金属製の板状物で構成し、この板状物に略コの字状の「切り込み部」を設ける。そして、板状物において、「切り込み部」に囲まれた部位を、基体部の下方に折り返し、この折り返した部位によって、下部板バネ部を構成する態様を例示できる。尚、請求項４の発明の応用発明として、基体部の下面部と、支持部との間に、板バネ以外の付勢手段（コイルバネ、ゴム、樹脂発泡体等のクッション部材等）を配置した態様を例示することもできる。
【００３４】
請求項５の遊技機は、請求項１から３の遊技機において、
前記基体部の左右方向に沿った他端部側には、前記基体部の上面部から上り傾斜状に突出すると共に、自由端を前記基体部の上面部に近接させて撓んだとすると、該自由端を前記基体部の上面部から離間させるような付勢力を生じさせる上部板バネ部が設けられ、
前記上部板バネ部を前記撓んだ状態としつつ、前記上部板バネ部の突端部側を前記不正対策部位に外側面に当接する状態とし、
前記基体部の左右方向に沿った他端部側を、前記上部板バネ部の付勢力を用いて前記支持部に圧接させたことを特徴とする。
【００３５】
請求項５の発明では、上部板バネ部の付勢力を利用して、基体部の左右方向に沿った他端部側を、不正対策部位の支持部に密着させる。従って、請求項５の発明によっても、「侵入防止部材の弛み」をより一層、確実に防止できる。
【００３６】
上部板バネ部は、基体部に一体的に設けられても、基体部と別体の板バネによって構成されてもよい。また、基体部に一体的に設ける態様では、基体部若しくはその一部を金属製の板状物で構成し、この板状物に略コの字状の「切り込み部」を設ける。そして、板状物において、「切り込み部」に囲まれた部位を、基体部の上方に折り返し、この折り返した部位によって、上部板バネ部を構成する態様を例示できる。尚、請求項５の発明の応用発明として、基体部の上面部と、支持部との間に、板バネ以外の付勢手段（コイルバネ、ゴム、樹脂発泡体等のクッション部材等）を配置した態様を例示することもできる。
【００３７】
請求項６の遊技機は、請求項１から５の遊技機において、
前記基体部は、略帯状の板状物を用いて構成される芯部材と、該芯部材の構成素材よりも軟質な構成素材を用いて構成されると共に前記芯部材の上面部及び下面部のうちの少なくとも一方を被覆する表皮部材と、を備え、
前記延出部は、前記表皮部材と同一の構成素材を用いて、前記表皮部材と一体的に設けられることを特徴とする。
【００３８】
請求項６の発明では、基体部の構造を、芯部材と軟質な表皮部材とを備える２重構造とすると共に、延出部を表皮部材と一体的に構成する。つまり、請求項６の発明では、侵入防止部材を、剛性の確保に重点をおく部分（芯部材）と、柔軟性の確保に重点をおく部分（表皮部材及び延出部からなる部分）との２重構造とするため、侵入防止部材の取り扱いの容易化を図りつつ、侵入防止部材の本来の機能（不正部材の侵入防止機能）をより確実に発揮できる。
【００３９】
蓋し、請求項６の発明によると、延出部等を軟質な素材を用いて構成するため、延出部のガラス扉枠に対する密着性が高められる。しかも、芯部材によって、侵入防止部材の剛性を確保できるめ、延出部等を軟質な素材を用いて構成しても、侵入防止部材の取り扱いが容易であるからである。
【００４０】
ここで、芯部材の構成素材としては、金属や硬質樹脂等を例示できる。また、表皮部材及び延出部の構成素材としては、ゴムや軟質樹脂等を例示できる。更に、表皮部材としては、例えば、（ａ）芯部材を挿入する挿入空間を備え、芯部材の上下面部を被覆する略筒形状の表皮部材、（ｂ）芯部材の上面部若しくは下面部の一方を被覆する表皮部材、等を例示できる。尚、何れの態様においても、芯部材の上面部を、弾性素材で構成される表皮部材で被覆すると、基体部の不正対策部位に対する密着度が高められるため、より好適である。
【００４１】
尚、不正対策部位（内側レール）の構成素材が金属である場合、芯部材の構成素材を金属とすることで、以下のような効果も得られる。つまり、不正対策部位（内側レール）の熱膨張率と、芯部材の構成素材の熱膨張率とを等しくしたり、近似したものとできるため、不正対策部位（内側レール）及び侵入防止部材に熱膨張等を生じても、侵入防止部材の不正対策部位（内側レール）に対する密着度が低下することを防止できる。
【００４２】
請求項７の遊技機は、請求項１から６の遊技機において、
前記侵入防止部材において、少なくとも、前記延出部に対して、透視度低下処理を施したことを特徴とする。
【００４３】
請求項７の発明によると、不正行為をより一層確実に防止したり、不正行為の実行をより一層的確に抑止できる。つまり、不正行為者の多くは、遊技機において遊技盤の下方の位置に挿入した不正部材を、遊技盤の前方に移行させる際に、ガラス扉枠の前方から遊技機の内部を覗き込みつつ、不正部材の位置（特に、不正部材の先端部の位置）を確認する。これに対して、請求項７の発明によると、主壁体部の透視度を低下させる処理を施して、不正部材の位置（特に、不正部材の先端部の位置）を確認困難、若しくは、確認不可能とするため、不正行為の実行が不可能、若しくは、困難となる。従って、請求項７の発明によると、不正行為をより一層確実に防止したり、不正行為の実行をより一層的確に抑止できる。
【００４４】
ここで、請求項７の発明の「透視度低下処理」とは、延出部若しくは侵入防止部材全体等（以下、「延出部等」という。）の透視度を低下させるための処理、つまり、延出部等を上下方向に透視できる度合いを低下させる処理である。具体的には、（１）延出部等に色彩を施す処理、（２）延出部等に模様を施す処理、（３）延出部等に図形、その他の線図を施す処理、（４）延出部等（特に、その上面部）に、乱反射の発生手段（傷、スリット、凹凸等）を設ける処理、若しくは、（１）〜（４）の処理のうちの２つ以上を組み合わせた処理、等を例示できる。尚、侵入防止部材（請求項６の発明では、表皮部材及び延出部）を樹脂の一体成形品で作成する場合、（１）の色彩を施する処理は、この一体成形品の成形時に行っても（例えば、材料中に顔料を混入する。）よいし、一体成形品の成形後の事後的な着色によって行ってもよい。更に、延出部の上面部等に、遊技領域に配設された「セル画」と、同一の色彩、模様、線図等を施して、この「透視度低下処理」を行うこともできる。
【００４５】
各請求項の発明においては、「取付用突起」の具体例として以下の態様を例示できる。例えば、基体部の下面部から突出する略平板状の取付用突起を例示できる。また、各請求項の発明の被掛止部は、「有底の穴状の被掛止部」、「支持部を貫通する孔状の被掛止部」、「溝状の被掛止部」のうちの何れであってもよい。
【００４６】
各請求項の発明の「レール部材」としては、外側レールと内側レールとを備えるものを例示できる。このうち、「外側レール」は、通常、「遊技盤の前面部において、開口部を下方に向けた略円弧形状（Ｃの字状）に配置された（略円弧状の経路を描く状態に配置された）帯状の金属板」を用いて構成される。また、「内側レール」は、「遊技盤の前面部のうちで、外側レールの内側の部位において、開口部を上方に向けた略円弧形状（Ｃの字状）に配置された（略円弧状の経路を描く状態に配置された）帯状の金属板」を用いて構成される。そして、遊技盤の前面部においては、遊技盤の右斜め下方から打ち出され、左上がり傾斜状の発射レールに沿って上昇した遊技球は、遊技盤の左端側において外側レールと内側レールとの間の誘導通路を経て遊技盤の左上部に導かれる。そして、内側レールの略全体と、外側レールの上部側の部分とによって、略円形（略円形の経路を描く）を「領域レール部」が構成される。
【００４７】
この遊技盤の前面部のうちで、この領域レール部で取り囲まれた部位が、遊技領域とされる。この遊技領域内においては、最下部にアウト口が設けられ、この最下部よりも上方の位置に各種の入賞装置が配設されている。そして、遊技機において、遊技盤の斜め右下方には発射装置が配置され、遊技球は、この発射装置によって発射され、遊技盤の下方において、遊技盤の斜め右側から左側に上昇する経路を描く、発射レールに沿って上昇する。更に、この発射レールに沿って上昇した遊技球は、遊技盤の左端側において外側レールと内側レールとの間の誘導通路を経て遊技盤の左上部に導かれる。この遊技球は、内側レールの左上端部と、外側レールの左上端部との間に形成される入口部（遊技領域の入口部）を通じて、遊技領域内に放出される。
【００４８】
各請求項の発明の「不正対策部位」を、この「領域レール部の下半側部分」から適宜、選択することができるが、「領域レール部の最下部を含む円弧状の部分」として構成することが望ましい。例えば、セブン機においては、その遊技領域に配置される入賞装置のうちで、「大量の賞球を期待できる大入賞装置」が最も、不正行為の対象となり易い。そして、この「大入賞装置」は、遊技領域において、「領域レール部の最下部」の上方（アウト口の上方）に配置されることが多い。このため、「領域レール部において、大入賞装置の直下に位置する部位（領域レール部の最下部）」を含む状態にて、「不正対策部位」を選択することが望ましいからである。
【００４９】
この「不正対策部位」のサイズ（経路長）は、「大入賞装置」の左右方向に沿った幅を考慮して選択することが望ましい。例えば、領域レール部のうちで、その最下部を中央に配置し、左右両側に高くなる円弧状の部分（円弧状の経路を描く部分）であって、中心角を２０度〜１８０度（特に、３５度〜１８０度）のうちの何れかの角度とする部分を用いて、「不正対策部位」を構成することが望ましい。
【００５０】
通常、ガラス扉枠は、ガラス板と、このガラス板を保持する扉枠本体とを備えている。そして、各請求項の発明の「延出部がガラス扉枠に当接する状態」としては、（１）延出部が、扉枠本体に到達する態様、（２）延出部がガラス板に到達する態様、（３）延出部が扉枠本体及びガラス板の双方に到達する態様、等を例示できる。また、各請求項の発明において、扉枠本体に、ガラス板を保持するための保持手段は、扉枠本体に対して固定的に装着されても（開閉不可能な状態に装着されても）、開閉可能な状態に装着されてもよい。
【００５１】
各請求項の発明において、掛止片の突出方向は種々選択でき、基体部の上面部に沿った方向を例示できる。つまり、左右何れか一方の方向、左右双方向、前後何れか一方の方向、前後双方向、斜め前後のうちの何れか一方の方向、斜め前後の双方向等を例示できる。これらの場合、掛止片は略水平な方向に突出してもよいが、傾斜するような方向に突出してもよい。また、各請求項の発明において、被掛止部の内壁部のうちで、取付突起が実際の当接する箇所（実際に掛止される箇所）は、例えば、以下の箇所である。つまり、被掛止部の内壁部を構成する面部分のうちで、左右何れかに位置する面部分を例示できる。特に、被掛止部の内壁部が、相互に対向する面部分を左右に備える場合、これらの面部分のうちで、「不正対策部位の最下部」の側に位置する面部分を、取付突起が実際の当接する箇所として選択することが好適である。
【００５２】
各請求項の発明において、延出部の延出箇所としては、例えば、基体部の前端部や、基体部の下面部等を例示できる。
【００５３】
また、以下の関連発明１を例示できる。
【００５４】
関連発明１の遊技機は、
遊技領域を形成するための遊技領域形成部を前面部に備える遊技盤と、
該遊技盤の前面部において前方に突出する状態に配設されて前記遊技領域の略円形状の外縁部を構成する領域レール部を具備し、前記領域レール部の下半側部分から選択される不正対策部位における左右方向に沿った一端部側に第１の被掛止部を有するレール部材と、
前記遊技盤の前面部の前方に配置され、前記領域レール部の突端部との間に隙間部を形成するガラス扉枠と、
上面部を前記不正対策部位の外側面に沿わせつつ略円弧状に配置される基体部と、該基体部から延出して前記ガラス扉枠に当接する状態に配置される延出部と、を具備する侵入防止部材と、
前記遊技盤の前面部において前記不正対策部位の外側面の外側に位置する部位に装着され、前記不正対策部位の左右方向に沿った他端部側と対向する位置に前記基体部の左右方向に沿った他端部側を支持するための支持部を具備し、該支持部に穴状、孔状若しくは溝状の第２の被掛止部を開口させた外側装着部材と、
を備える遊技機であって、
前記基体部の上面部から突出する第１の突出片と、該第１の突出片の突端部若しくは中間部から屈曲状に突出して前記第１の被掛止部に掛止される掛止片と、を有する第１の取付用突起が、前記基体部の左右方向に沿った一端部側に設けられ、
前記基体部の下面部から突出する第２の突出片によって構成されると共に前記第２の被掛止部に挿入されて前記第２の被掛止部の内壁部に掛止される第２の取付用突起が、前記基体部の左右方向に沿った他端部側に設けられることを特徴とする。
【００５５】
関連発明１では、第１の取付用突起が、上方に突出する第１の突出片と、第１の突出片から屈曲状に突出して、第１の被掛止部に掛止される掛止片と、を備える。また、第２の取付用突起が下方に突出する状態に構成されると共に第２の被掛止部に挿入されて第２の被掛止部の内壁部に掛止される。例えば、第１の取付用突起を、基体部の上面部から突出する略Ｌ字状（略フック形状）の突起によって構成し、第２の掛止用突部を、基体部の下面部から略平板状等に突出する突起によって構成する。そして、関連発明１の発明では、第１の取付用突起及び第２の取付用突起の間隔と、第１の被掛止部及び第２の被掛止部の間隔と、の間のクリアランス（遊び）を無くしたり、このクリアランスを少なくしても、侵入防止部材の取付作業を円滑に行うことができる。尚、各関連発明において、「第１の突出片から屈曲状に突出する」とは、「第１の突出片に対して屈曲する状態に突出する」こと、換言すると、第１の突出片の突出方向と異なる方向に向かって突出する」こと指し、例えば、第１の突出片の突出方向が上方である場合に、左右一方の方向等に突出すること等を指す。
【００５６】
より具体的には、第１の取付用突起の掛止部を不正対策部位の周方向にスライドさせつつ、第１の被掛止部に掛止し、侵入防止部材の一端部側を不正対策部位の一端部側に取り付ける（引っ掛ける）。つまり、略Ｌ字状（略フック形状）等に構成される「第１の取付用突起」を不正対策部位の周方向にスライドさせつつ、その「掛止部」を第１の被掛止部に対して、遊技領域の半径方向に沿った外側方向に向かって当接させて掛止する。この後、遊技領域の半径外側方向に突出する第２の取付用突起を、そのまま（第２の取付用突起を、不正対策部位の周方向にスライドさせることなく）、第２の被掛止部に挿入するだけで、第２の取付用突起は第２の被掛止部に掛止され、侵入防止部材の他端部側は外側装着部材に取り付けられる（引っ掛けられる）。
【００５７】
換言すると、通常、後から取り付けられる「第２の取付用突起」の取り付けを、第２の取付用突起を第２の被掛止部に単に挿入するだけで（第２の取付用突起を、不正対策部位の周方向にスライドさせることなく）完了する。このため、関連発明１では、第１の取付用突起及び第２の取付用突起の間隔と、第１の被掛止部及び第２の被掛止部の間隔と、の間のクリアランス（遊び）を無くしたり、このクリアランスを少なくしても、侵入防止部材の取付を円滑に行うことができる。
【００５８】
関連発明１では、このように、前記「クリアランス（遊び）」を無くすか、少なくすると共に、不正対策部位の左右方向に沿った他端部側が、外側装着部材（支持部）によって支持される。このため、侵入防止部材が、不必要に下方に弛んだ状態となることはない。従って、関連発明１の発明の遊技機によると、侵入防止部材の取付状態の良好化の要請と取付作業の円滑化の要請とを同時に満足させることができる。
【００５９】
ここで、関連発明１においては、「第１の被掛止部」と「第１の取付用突起」の具体例として以下の態様を例示できる。例えば、不正対策部位の左右方向に沿った一端部側に被取付孔（貫通孔）を設け、不正対策部位の内側面において、被取付孔の周縁に位置する部位によって第１の被掛止部を構成する。また、基体部の上面部から突出しつつ、被取付孔に挿通される挿通部（第１の突出片）と、この挿通部の突端部若しくは中間部から左右何れかの方向に突出する掛止部と、を備える第１の取付用突起（略Ｌ字状若しくは略フック形状の第１の取付用突起）を例示できる。
【００６０】
この第１の取付用突起においては、例えば、掛止部が、遊技領域の半径外側方向に向かって第１の被掛止部に掛止される。この具体例では、不正対策部位の外側面の外側（遊技領域外）の掛止部は、被取付孔を通じて、不正対策部位の内側面の内側（遊技領域内）に挿入される。そして、「掛止部」を不正対策部位の周方向にスライドさせ、「掛止部」を「第１の被掛止部」の内側（遊技領域の半径方向に沿った内側）に移動し、「掛止部」を「第１の被掛止部」に当接状に（遊技領域の半径外側方向に当接させて状態で）掛止すると、「第１の取付用突起」の「第１の被掛止部」に対する取り付けを完了する。
【００６１】
また、関連発明１の遊技機において、前述の請求項２から請求項７のうちの何れかの請求項に係る発明の特徴を備えてもよい。つまり、以下の関連発明２から７を例示することもできる。
【００６２】
関連発明２に記載の遊技機は、関連発明１に記載の遊技機において、
前記第２の被掛止部は、前方に向かって開放されていることを特徴とする。
【００６３】
関連発明３に記載の遊技機は、関連発明１又は２に記載の遊技機において、
前記外側装着部材は、前記遊技機に関する情報を表示するための表示部を備える遊技機情報表示部材であることを特徴とする。
【００６４】
関連発明４に記載の遊技機は、関連発明１〜３の何れかの遊技機において、
前記基体部の左右方向に沿った他端部側には、前記基体部の下面部から下り傾斜状に突出すると共に、自由端を前記基体部の下面部に近接させて撓んだ状態とすると、該自由端を前記基体部の下面部から離間させるような付勢力を生じさせる下部板バネ部が設けられ、
前記下部板バネ部を前記撓んだ状態としつつ、前記下部板バネ部の突端部側を前記支持部に当接する状態とし、
前記基体部の左右方向に沿った他端部側を、前記下部板バネ部の付勢力を用いて前記不正対策部位の外側面に圧接させたことを特徴とする。
【００６５】
関連発明５に記載の遊技機は、関連発明１〜３の何れかの遊技機において、
前記基体部の左右方向に沿った他端部側には、前記基体部の上面部から上り傾斜状に突出すると共に、自由端を前記基体部の上面部に近接させて撓んだとすると、該自由端を前記基体部の上面部から離間させるような付勢力を生じさせる上部板バネ部が設けられ、
前記上部板バネ部を前記撓んだ状態としつつ、前記上部板バネ部の突端部側を前記不正対策部位に外側面に当接する状態とし、
前記基体部の左右方向に沿った他端部側を、前記上部板バネ部の付勢力を用いて前記支持部に圧接させたことを特徴とする。
【００６６】
関連発明６に記載の遊技機は、関連発明１〜５の何れかの遊技機において、
前記基体部は、略帯状の板状物を用いて構成される芯部材と、該芯部材の構成素材よりも軟質な構成素材を用いて構成されると共に前記芯部材の上面部及び下面部のうちの少なくとも一方を被覆する表皮部材と、を備え、
前記延出部は、前記表皮部材と同一の構成素材を用いて、前記表皮部材と一体的に設けられることを特徴とする。
【００６７】
関連発明７に記載の遊技機は、関連発明１〜６の何れか一項に記載の遊技機において、
前記侵入防止部材において、少なくとも、前記延出部に対して、透視度低下処理を施したことを特徴とする。
【００６８】
尚、各請求項の発明、各関連発明においては、基体部の後端部の全域、若しくは、一部が、遊技盤の前面部と当接してもよいし、遊技盤の前面部と離間してもよい。また、基体部の後端部のうちでアウト口の直下に位置する部位を除く部位」を遊技盤の前面部に当接させ、「基体部の後端部のうちで領域レール部の最下部の下方に位置する部分（以下、「最下部下方部分」という。）」を、「アウト口の直下の位置」、若しくは、「アウト口の直下よりも遊技機の奥側の位置」に到達させることが望ましい。蓋し、「領域レール部の最下部」は、遊技盤面に設けられたアウト口に遊技球（アウト球）を案内するための案内部を構成するが、この領域レール部の最下部（案内部）の後端部は、通常、切り欠き部とされている。しかも、遊技盤（遊技領域）において、この切り欠き部の真上の位置に、大入賞装置が配置されるのが一般的なため、不正行為者は、「この切り欠き部の下方から、切り欠き部を通過して大入賞装置に至る経路」を、「不正部材の侵入経路」として選択する可能性が高い。このため、「最下部下方部分」を、「アウト口の直下の位置」、若しくは、「アウト口の直下よりも遊技機の奥側の位置」に到達させることによって、この経路を遮断することが望ましいからである。
【００６９】
各請求項の発明において、「延出部をガラス扉枠に当接させること」には、延出部の前端部をガラス扉枠の背面部（後面部であって、遊技盤との対向面部である。）に当接させることの他に、延出部の前端部をガラス扉枠の背面部よりも、前方に到達させること（例えば、ガラス扉枠の背面部に対して、後方に開口する凹部を設け、延出部の前端部を、この凹部を進入させること等）も含まれる。また、「延出部の前端部をガラス扉枠に到達させること」には、延出部の前端部の全域（左右方向に沿った全幅の範囲）を、ガラス扉枠に到達させることの他に、延出部の前端部の一部（左右方向に沿った一部の範囲）をガラス扉枠に到達させることも含まれる。
【発明の効果】
【００７０】
以上記述したように、請求項１〜請求項７の各発明の遊技機によると、侵入防止部材の取付状態の良好化の要請と取付作業の円滑化の要請とを同時に満足させることができる。
【図面の簡単な説明】
【００７１】
【図１】本発明の実施例に係る遊技機を示す正面図である。
【図２】本発明の実施例に係る遊技機において、前面枠が開いた状態を示す斜視図である。
【図３】侵入防止部材の装着状態を説明するために、前面枠及び受皿扉部材等を示す説明図である。
【図４】本発明の実施例に係る遊技機において、遊技盤を示す正面図である。
【図５】本発明の実施例に係る遊技機において、不正対策部位及び領域レール部等を説明するための説明図である。
【図６】（ａ）は上皿部材の概略的な平面図であり、（ｂ）は受皿扉部材の概略的な縦断面図｛図５（ａ）の１−１断面に相当する縦断面図｝である。
【図７】受皿扉部材の概略的な縦断面図｛図５（ａ）の２−２断面に相当する縦断面図｝である。
【図８】本発明の実施例に係る遊技機を示す裏面図である。
【図９】本発明の実施例に係る電子制御装置を示すブロック図である。
【図１０】本発明の実施例に係る侵入防止手段（証紙台及び侵入防止部材）と、不正対策部位を示す正面図である。
【図１１】本発明の実施例に係る証紙台の斜視図である。
【図１２】本発明の実施例に係る証紙台の縦断面図である。
【図１３】本発明の実施例に係る証紙台の背面図である。
【図１４】本発明の実施例に係る証紙台の平面図である。
【図１５】本発明の実施例に係る侵入防止手段の正面図である。
【図１６】本発明の実施例に係る侵入防止部材の取付状態（前面枠を閉じた状態）を説明するための説明図である。
【図１７】図１６の要部拡大図である。
【図１８】本発明の実施例に係る侵入防止部材の取付状態（前面枠を開いた状態）を説明するための説明図である。
【図１９】芯部材の平面図である。
【図２０】（ａ）は図１９のａ−ａ断面図であり、（ｂ）は図１９のｂ−ｂ断面図であり、（ｃ）は図１９のｃ−ｃ断面図である。
【図２１】（ａ）及び（ｂ）は第１の取付用突起の取付方法を説明するための説明図である。
【図２２】（ａ）及び（ｂ）は第２の取付用突起の取付方法を説明するための説明図である。
【図２３】第２の取付用突起の掛止状態を説明するための説明図である。
【図２４】（ａ）は変形例１を示す説明図であり、、（ｂ）は変形例２を示す説明図であり、ｃ）は変形例２を示す説明図である。
【図２５】変形例４に係る電子制御装置を示すブロック図である。
【図２６】従来例を示す説明図である。
【図２７】従来例を示す説明図である。
【発明を実施するための形態】
【００７２】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【００７３】
（１）機械的な構造
ａ．遊技機の前面側の全体構造
先ず、この遊技機１の全体構造について、図１〜図１０を参照して説明する。この遊技機１は、図１〜図２に示すように、外枠２と、この外枠２に装着された遊技機本体Ｈと、を備えている。
【００７４】
このうち、外枠２は、パチンコホールの島設備に設けられた設置部位に固定されると共に、遊技機本体Ｈを支持するためのものである。この外枠２は、図２に示すように、略矩形状の枠状体（額縁状体）によって構成されている。この外枠２は、略矩形状の枠状体によって構成される外枠本体２１と、外枠本体２１の前面下部を覆う前板部２２と、を備えている。
【００７５】
遊技機本体Ｈは、図１及び図２に示すように、外枠２の一側（遊技者から見て左端側）に回動自在に組み付けてられている。この遊技機本体Ｈは、遊技機１のうちで外枠２を除く部分であって、中枠３と、前面枠４と、遊技盤１０（図４を参照）と、裏機構盤１０２（図８を参照）等を主要部としている。尚、図２においては、遊技盤１０の図示を省略している。
【００７６】
中枠３は、全体がプラスチック製であり、外枠２の内側に嵌めこまれ、外枠２に対して開閉可能に軸支されている。また、中枠３の右端中央には施錠装置７が設けられている。更に、中枠３の下方側の前面部には、遊技球を遊技盤１０に発射する発射装置（図示を省略）と、遊技球を発射ユニットに供給するための球送り装置（図示を省略）と、発射装置から発射された遊技球を外レール１４（後述する。）に向かって誘導する発射レール５５（図４及び図５を参照）と、遊技状態に応じた効果音その他の音（音声）を発生させるスピーカー４００ａ（図１１参照）等が配設されている。尚、発射レール５５は、中枠３の下方側の前面部において、左方向に向かって上がり傾斜状に設けられている。
【００７７】
中枠３の前面部には、遊技盤１０（図４参照）が保持されている。そして、遊技盤１０の背面部には、裏機構盤１０２（図８参照）が装着され、この背面部を覆う状態とされている。尚、遊技盤１０及び裏機構盤１０２の詳細に関しては後述する。
【００７８】
前面枠４は、ガラス扉枠の具体例を構成するものであり、図１及び図２に示すように、中枠３の前面側に配置され、中枠３の左端に開閉可能に支持されている。この前面枠４は、全体がプラスチック製である。また、前面枠４は円形状の開口部４ａを有している。この開口部４ａは、前面枠４を閉じた状態としたときに、前面枠４の奥側（背後）に配置される遊技盤１０の盤面を、前方（遊技者の側）から視認可能とするためのものである。つまり、この開口部４ａは、遊技盤１０に形成された遊技領域１１（図４参照）の形状に対応して、略円周状に開設されている。
【００７９】
図２及び図３に示すように、前面枠４の裏面において、開口部４ａの略矩形状の取り囲む部位のうちで、上辺部を除く部位には、略コ字形に形成された保持部材４１が配設されている。この保持部材４１は、２つの保持溝４１ａ、４１ｂを遊技機１の前後（前面枠４の厚さ方向）に形成するものである。また、これらの保持溝４１ａ、４１ｂは、前面枠４の上方に向かって開放されており、これらの保持溝４１ａ、４１ｂには、前面枠４の上方から、ガラス板４１ｃ、４１ｃが挿入されている。但し、図２においては、後方の保持溝４１ｂに装着されるガラス板４１ｃの図示を省略している。
【００８０】
本遊技機１においては、前面枠４を閉じた状態とすると、前面枠４の開口部４ａと、遊技盤１０の遊技領域１１（後述する。）とが前後方向に位置合わせされる。このため、遊技者は、ガラス板４１ｃ、４１ｃを通じて、遊技領域１１を視認することができる。尚、本実施例の前面枠（ガラス扉枠）４において、ガラス板４１ｃ、４１ｃを直接的に保持する部分（保持部材４１）を、前面枠４の裏面に開閉不可能な状態に装着したが、本実施例と異なり、この部分を、ガラス板４１ｃ、４１ｃと一体で開閉可能な状態に装着してもよい。
【００８１】
図１に示すように、前面枠４には、各種のＬＥＤ表示部４ｂ、４ｃ、４ｄ、４ｅ、４ｆが設けられ、これらのＬＥＤ表示部４ｂ〜４ｆは、遊技効果を高めること等を目的として、ゲームの進行に応じて点灯及び消灯したり、点滅する。また、前面枠４の前面上方側の中央で左右に並ぶ２個の中上ＬＥＤ表示部４ｆ、４ｆの間には、２個の賞球ＬＥＤ表示部４ｇが設けられている。更に、賞球ＬＥＤ表示部４ｇの上方には、エラーＬＥＤ表示部４ｈが略扇形に設けられている。
【００８２】
本実施例においては、図１２に示すように、前面枠４を閉じたときに、前面枠４の裏面部４７と、遊技盤１０の前面部１０ａとの間に、空間部（以下、「盤前空間部」という。）Ｋが形成される。また、前面枠４を閉じたときに、前面枠４の裏面部４７と、後述する「領域レール部ｒ」との間には、隙間部（以下、「レール前隙間部」という。）Ｓが形成される。
【００８３】
図１に示すように、中枠３の前面部において、前面枠３の下方側の部位には、受皿扉部材５が開閉可能に装着されている。尚、前述の発射レール５５は、図４に示すように、受皿扉部材５の後方（背後）に配置されている。また、受皿扉部材５の裏側には、音量スイッチ基板１２（図９参照）が設けられ、受皿扉部材５の皿外縁部５ａには球抜きボタンや遊技球の貸出・返却ボタン等が設けられている。
【００８４】
この受皿扉部材５は、図６及び図７に示すように、中枠３の左端に開閉可能に支持された前板部５１と、前板部５１の前面部から前方に突出する上皿部５２とを備えている。また、上皿部５２は、上方に開口する容器形状に構成されると共に、底部５２１を右方向に向かって下り傾斜としている。更に、上皿部５２の周壁部５２２のうちで後方に位置する部位（以下、「奥壁部」という。）５２２ｂであって、しかも、左端側の部位には、遊技球通路５Ｂの出口部が設けられ、この出口部が排出口５ｂを構成している。この遊技球通路５Ｂは、遊技機１内から排出される遊技球を、上皿部５２の内部に導くものであり、前板部５１の後面部（背面部）から奥壁部５２２ｂの前面部に向かって貫通する状態に設けられている。尚、遊技球通路５Ｂの入口部（図示を省略）が、前板部５１の後面部で開口している。また、奥壁部５２２ｂの上端面は凹部５２２ｃが形成され、この凹部５２２ｃには突起部５２２ｄが設けられている。
【００８５】
図１及び図２に示すように、前面枠３の前面部であって、上皿部５よりも下方の部位には、下皿部６が突出状に設けられている。そして、この下皿部６の略中央には、遊技機１の内部から遊技球を排出するための排出口６ａが設けられている。また、下皿部６の左端には灰皿６ｂが設けられ、下皿部６の右端には発射ハンドル９が設けられている。更に、下皿部６の上部には、灰皿６ｂの上面を開閉可能なスライド蓋が設けられている。また、下皿部６の底面には球抜き孔（図示を省略）が設けられている。この球抜き孔は、通常時には、閉鎖されているが、下皿部６に貯留された遊技球を遊技機１から排出する際に開放状態とされる。
【００８６】
図１及び図２に示すように、発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、施錠装置７は、正面視すると鍵穴を備えた略長方形状を呈し、前面枠４を閉鎖した場合に施錠するためのものである。
【００８７】
更に、図１及び図２に示すように、遊技機１の左端側には、プリペイドカードユニット１３が設けられている。尚、上皿部５の略中央部には第１音声出力部５ｃが設けられている。この第１音声出力部５ｃには、スピーカー４００ａを構成する中高音用ユニット（ツィータ）が、ダクト（図示を省略）を介して接続されている。
【００８８】
また、下皿部６における排出ノブ６ｃの右側及び左側には第２音声出力部６ｄが設けられている。この第２音声出力部６ｄには、スピーカー４００ａを構成するユニット（ウーハ）が、ダクト（図示を省略）を介して接続されている。また、本遊技機１では、上皿部５の前面における左端側の部位に、２つの操作ボタンＢ１、Ｂ２を配置している。
【００８９】
ｂ．遊技盤１０の構成
次に、遊技盤１０の構成について、図４及び図５を中心にして説明する。この遊技盤１０は、中枠３（図１を参照）に保持されるとともに、後述する裏機構盤１０２（図８参照）によりその背面側が覆われている。
【００９０】
この遊技盤１０の前面部１０ａには、図５に示すように、レール部材Ｒが配置されている。このレール部材Ｒは、ともに帯状の金属板を用いて構成される外側レール１４と、内側レール１５とを用いて構成されている。この遊技盤１０の前面部１０ａにおいて、このレール部材Ｒのうちで、領域レール部ｒによって、遊技盤１０の前面部１０ａに構成される遊技領域１１の外縁部Ｇを構成している。そして、遊技盤１０の前面部１０ａのうちで、領域レール部ｒに囲まれた部位が、「遊技領域形成部ＹＫ」である。
【００９１】
つまり、外側レール１４は、遊技盤１０の前面部１０ａにおいて、「開口部を下方に向けた略円弧形状に配置された帯状の金属板」を用いて構成される。また、内側レール１５は、遊技盤１０の前面部１０ａのうちで、外側レール１４の内側の部位において、「開口部を上方に向けた略円弧形状に配置された帯状の金属板」を用いて構成される。そして、内側レール１５の略全体と、外側レール１４の上部側の部分とによって、略円形の「領域レール部ｒ」が構成される。
【００９２】
本遊技機１においては、遊技盤１０の右斜め下方の発射装置によって打ち出され、左上がり傾斜状の発射レール５５に沿って上昇した遊技球Ｖは、遊技盤１０の左端側において、外側レール１４と内側レール１５との間の誘導通路Ｙを経て、遊技盤１０の左上部の「領域入口部Ｙ１」に導かれた後、「領域レール部ｒ」によって包囲された遊技領域１１に放出される構造となっている。
【００９３】
図４に示すように、遊技領域１１内には、中央装置２６と、始動口（普通電動役物１７１）１７と、下部装置１８と、左入賞口１９、右入賞口２０、左下入賞口２１、右下入賞口２２と、多数の障害釘２３と、一対のランプ風車２４、２５等が配設されている。
【００９４】
図４に示すように、中央装置２６は遊技領域１１の略中央部に配置されると共に、液晶表示装置２７を備えている。また、中央装置２６の上部中央には、普通図柄表示装置３２が配置されている。この普通図柄表示装置３２は、７セグメント表示器３２ａと、普通図柄保留表示ＬＥＤ３２ｂとを有している。更に、中央装置２６の左右斜め下方には、普通図柄作動ゲート３６、３７がそれぞれ設けられ、この左右の普通図柄作動ゲート３６、３７内に左、右普通図柄作動ゲート通過検出スイッチ３６ｓ、３７ｓ（図９参照）が配設されている。
【００９５】
遊技領域１１において、中央装置２６の下方に離れた位置には、始動口１７が配設されている。そして、この始動口１７の入口側部分に、普通電動役物１７１が配置されている。つまり、この普通電動役物１７１は、いわゆるチューリップ式で左右に一対の翼片部が開閉するべく形成されている。また、普通電動役物１７１の内部には、遊技球の通過を検出する始動口（普通電動役物１７１）入賞検出スイッチ１７ｓ（図９参照）と、翼片部を作動させるための始動口（普通電動役物）ソレノイド１７ｃ（図９参照）とが備えられている。この一対の翼片部が左右に開くと、遊技球の入球可能性が大きくなる開放状態となり、一対の翼片部が立設され、遊技球の入球可能性が小さくなる通常状態となる。
【００９６】
下部装置１８は、上記始動口（普通電動役物１７１）１７の下方に配設されており、前面側が略逆台形状に形成された基板３４に、大入賞装置３１と、左下入賞口２１と右下入賞口２２とを備えている。ここで、大入賞装置３１は、略中央に形成され、帯状に開口された大入賞口３１１と、この大入賞口３１１を開放・閉鎖する開閉板３１２と、この開閉板３１２を開閉するための大入賞口ソレノイド３１３（図９参照）と、連動杆（図示略）と、入賞球を検出する入賞球検出スイッチ３１８（図９参照）と、裏箱（図示略）と、大入賞口中継基板（図示略）とから主に構成されている。
【００９７】
また、左下入賞口２１は、始動口（普通電動役物１７１）１７の略斜め左下側に配設されて、内部に左下入賞口通過検出スイッチ２１ｓ（図９参照）が設けられている。そして、この左下入賞口２１の下方には複数個の左下入賞口ＬＥＤ２２３が左下入賞口ＬＥＤ基板２１ｆ（図９参照）に取り付けられ、飾りレンズによって被覆されている。さらに、右下入賞口２２は、始動口（普通電動役物）１７の略斜め右下側に配設されて、内部に右下入賞口通過検出スイッチ２２ｓ（図９参照）が設けられている。そして、この右下入賞口２２の下方には複数個の右下入賞口ＬＥＤ２２４が右下入賞口ＬＥＤ基板２２ｆ（図９参照）に取り付けられ、飾りレンズによって被覆されている。
【００９８】
下部装置１８の左右斜め上方には、左入賞口１９及び右入賞口２０がそれぞれ配設されている。そして、その内部にはそれぞれ、左入賞口通過検出スイッチ１９ｓ（図９参照）、右入賞口通過検出スイッチ２０ｓ（図９参照）が設けられている。また、中央装置２６の左右斜め上方には、一対のランプ風車２４、２５がそれぞれ配設されている。さらに、遊技領域１１の左右両端部には、一対のサイドランプ３８、３９がそれぞれ縦円弧状で相対称状に配設されている。
【００９９】
これらの障害釘２３は、以上説明した各遊技装置との位置バランスを考慮して、遊技領域１１にパチンコ遊技に適するべく、配設されている。また、遊技領域の最下部にはアウト口４８が設けられている。尚、図５に示すように、「領域レール部ｒ」の最下部ｒ１はアウト口４８に遊技球（アウト球）を案内するための案内部を構成するが、この最下部ｒ１には、切り欠き部（最下部ｒ１の後端部を切り欠いて構成される切り欠き部）が設けられている。また、図示を省略するが、アウト口４８の下部にはバック球防止部材が設けられており、遊技領域１１に到達せず戻ってきた遊技球が再び発射位置に戻ることを防止している。一方、図４に示すように、ファール球防止部材５９は、内レール１５の先端部に取り付けられ、返しゴム６０は、ファール球防止部材５９の位置とは略正反対側の、遊技盤１０の右半分側の位置であって、外レール１４に沿って嵌合状に取り付けられている。
【０１００】
尚、本遊技機１では、図１に示すように、上皿部５の前面における左端側の部位に操作ボタンＢ１、Ｂ２を配設している。この操作ボタンＢ１、Ｂ２は、液晶表示装置２７の表示画面２７１で行われる表示に変更を加えるためのものである。
【０１０１】
本実施例では、図５に示すように、大入賞装置３１のサイズを考慮し、不正対策部位Ｆを以下のように定めている。つまり、大入賞装置３１は、「領域レール部ｒのうちでその最下部ｒ１を中央に配置し、左右両側に高くなると共に中心角（Ｄ）を２５度とする円弧状部分ｒ３」の上方に位置している。このため、この「円弧状部分ｒ３」よりも、更に広範な「円弧状部分ｒ５」によって不正対策部位Ｆを構成し、大入賞装置３１への不正行為の防止を図っている。つまり、「領域レール部ｒのうちでその最下部ｒ１を中央に配置し、左右両側に高くなると共に中心角（Ｅ）を約１１０度とする円弧状部分ｒ５」によって不正対策部位Ｆを構成している。尚、図５等においては、図示の便宜を図るため、不正対策部位Ｆを、「円弧状の帯形状」にハッチング表示を施して示している。
【０１０２】
本実施例では、図４及び図５に示すように、この不正対策部位Ｆに対して、侵入防止手段３００が配置されている。この侵入防止手段３００は、証紙台５００と、侵入防止部材６００と、を用いて構成されている。この侵入防止手段３００の詳細に関しては後述する。尚、図２１に示すように、不正対策部位Ｆの左端側には、略矩形状の貫通孔ｑ（被取付孔）が設けられている。この貫通孔ｑは、不正対策部位Ｆをその肉厚方向に貫通する状態に設けられている。そして、不正対策部位Ｆの内側面Ｆ２において、貫通孔ｑの周縁に位置すると共に、アウト口４８側（右側）に位置する部位が、第１の被掛止部Ｑの具体例を構成している。
【０１０３】
次に、本遊技機１の裏面構造について図８を参照して説明する。前面枠４（図１）は中枠３にあって、前面枠４の上下端の位置に設けられた一対のヒンジ１０１により、開閉可能に支持されている。また、裏機構盤１０２は中枠３にあって裏機構盤１０２の上下端の位置に設けられた一対のヒンジ１０３により、開閉可能に支持されている。更に、遊技盤１０は中枠３の表面側に着脱可能に取り付けられている。また、上端側にあるヒンジ１０１の配設位置からみて左側には、タンク球切れ検出スイッチ１０４をタンク底部に備えた賞球タンク１０５と、この賞球タンク１０５に接続されるタンクレール１０６とが取り付けられている。更に、タンクレール１０６の右側には、球抜きレバー１０７が設けられ、その下流側には、補給球切れ検出スイッチ（図示を省略）が、さらに、その下流側には、裏側遊技装置としての賞球払出装置１０９が配設されている。
【０１０４】
また、遊技球の振り分け部（図示略）が賞球払出装置１０９の下流側に設けられている。タンクレール１０６の下側には、液晶表示装置２７（図８参照）を格納した蓋付きの裏ケース（図示ぜす）が設けられ、この裏ケースの下側には、後述する主制御部１４０（図９参照）を構成する主制御基板を格納した主制御基板ケース１１２が配設されている。
【０１０５】
この主制御基板ケース１１２の背面下側には、発射装置制御部１９３（図９参照）を構成する発射装置制御基板を格納した発射装置制御基板ケース１１３と、発射制御集合中継基板（図示略）と、が設けられている。また、裏機構盤１０２の左下方部には、上述した発射装置ユニット（図示略）が配設され、裏機構盤１０２の右下方部には、払出制御部１５０（図９参照）を構成する払出制御基板を格納した払出制御基板ケース１１８が配設されている。更に、遊技機１の裏面側には、中継基板（図示を省略）が装着されている。
【０１０６】
図９に示すように、この中継基板１９０は、入賞球検出スイッチ３１８，１９ｓ〜２２ｓ等と主制御部１４０とを中継するための基板とされている。尚、本実施例においては、主制御基板ケース１１２、中継基板１９０及び払出制御基板ケース１１８は、金属板（図示を省略）に着脱自在に装着され、この金属板は裏機構盤１０２に対して回動自在に懸架されている。
【０１０７】
一方、裏機構盤１０２の左下端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた端子基板（図示略）が設けられている。また、外部からの電力の供給を受けるための電源ケーブル１２３も端子基板（図示略）の上側に配設されている。また、払出制御基板ケース１１８からは接続ケーブル１２４が上方へ延出し、電源ケーブル１２５を備えたプリペイドカードユニット１３に接続されている。更に、裏機構盤１０２の略中央下端部には、下皿部用球通路部材（図示略）が設けられている。尚、本実施例では、電源ターミナル基板１２１に対して、ラムクリア信号を発生させるためのラムクリアスイッチ１２１ａを接続しているが、このラムクリアスイッチ１２１ａの接続を省略したり、ラムクリアスイッチ１２１ａの接続個所を変更してもよい。
【０１０８】
次に、本実施例の遊技機１の電子制御装置１３０について、図９を参照して説明する。この電子制御装置１３０は、主制御部１４０と、複数の副制御部とを含んで構成されている。また、副制御部としては、主制御部１４０に直に接続された第１次副制御部（払出制御部１５０、音声・ランプ制御部１７０等）と、この第１次副制御部を介して主制御部１４０に接続された第２次副制御部（発射装置制御部１９３、図柄制御部１６０等）と、を備えている。尚、主制御部１４０と第１次副制御部とは信号伝送経路５００ａによって接続され、第１次副制御部及び第２次副制御部は信号伝送経路５００ｂによって接続されている。
【０１０９】
次に、各制御部間における「データ等」の伝送方式について述べる。即ち、主制御部１４０から、払出制御部１５０および音声・ランプ制御部１７０へは、一方向形式若しくは双方向形式でデータ等が伝送される。また、音声・ランプ制御部１７０から図柄制御部１６０へも一方向形式でデータが伝送されるものとして説明するが、音声・ランプ制御部１７０と図柄制御部１６０との間では双方向形式でデータを伝送することとしてもよい。尚、図９に示した破線の矢印は、各制御部１４０ないし１８０への電源供給経路を表している。また、図示されているように、電源は先ず初めに電源受電基板４１０に供給され、電源ユニット４２０で所定電圧に変換された後、分電基板４３０から各制御部１４０ないし１８０に電力が供給される。更に、電源投入時には、後述するシステムリセット信号が全制御基板に送信される。
【０１１０】
ここで、主制御部１４０は、遊技の基本進行を司る制御部であり、当否判定の等、本遊技機１において重要な処理を実行する。また、主制御部１４０は、図９に示すように、各種スイッチ（９ａ、９ｂ、９ｂ、１０４、１９２、１７ｓ、１９ｓ〜２２ｓ、３６ｓ、３７ｓ、３１８）等からの情報を受け取って所定の演算を行った後、払出制御部１５０や音声・ランプ制御部１７０に各種のコマンドを出力するとともに、各種の基板やソレノイド（１７ｃ、３１３、３７）などに駆動信号を出力する。
【０１１１】
尚、図示を省略するが、音声・ランプ制御部１７０は、スピーカー４００ａやランプ等の制御を主に行うための制御基板と、制御基板からの命令を受けて、ランプ等に駆動信号を出力するための駆動基板の、主に２つの基板から構成されている。また、図柄制御部１６０は、特別図柄制御基板によって主に構成されている。
【０１１２】
中継基板１９０には、入賞球検出スイッチ３１８，１９ｓ〜２２ｓ等が接続されている。また、払出用端子基板１９１には、タッチスイッチ９ａ、発射停止スイッチ９ｂ、ヴォリュームスイッチ１９２、タンク球切れ検出スイッチ１０４及び補給球切れ検出スイッチ１０８等が接続され、払出用端子基板１９１の出力端子は、払出制御部１５０の入出力回路部に接続されている。
【０１１３】
以上の電子制御装置１３０においては、遊技球が始動口１７に入球すると、その情報が始動口入賞検出スイッチ１７ｓによって検出されて、主制御部１４０に入力される。また、遊技球が普通図柄作動左ゲート３６あるいは普通図柄作動右ゲート３７を通過すると、その情報が普通図柄作動口通過検出器３６ｓ，３７ｓにより検出されて、主制御部１４０に入力される。更に、入賞球検出スイッチ１９ｓ〜２２ｓ，３１８で遊技球の入球が検出されると、その情報は、中継基板１９０を介して主制御部１４０に入力される。
【０１１４】
（２）侵入防止手段の説明
【０１１５】
侵入防止手段３００は、図１０に示すように、証紙台５００と、侵入防止部材６００と、を用いて構成されている。この侵入防止手段３００は、「不正部材を、不正対策部位Ｆの下方部から大入賞装置３１に向かって侵入させるための侵入経路」を遮断するためのものである。
【０１１６】
証紙台５００は、外側装着部材（特に、遊技機情報表示部材）の具体例を示すものであり、図１０に示すように、遊技盤１０の前面部１０ａにおいて、不正対策部位Ｆの外側面Ｆ１の外側に位置する部位（以下、「外領域Ｍ」という。）に着脱可能な状態に装着されている。この外領域Ｍは、遊技盤１０の中心線（上下方向に沿った中心線であって、アウト口４８を通過する。）を基準にとして、右外領域部ＭＲ（遊技者から見て右側の領域部）と、左外領域部ＭＬ（遊技者から見て左側の領域部）とに区画される。そして、証紙台５００は、右外領域部ＭＲに装着されている。
【０１１７】
尚、本実施例においては、左外領域部ＭＬ及び右外領域部ＭＲのうちの右外領域部ＭＲのみに、証紙台５００を装着可能な空き部分が存在するため、右外領域部ＭＲには証紙台５００を装着した。但し、本実施例と異なり、左外領域部ＭＬに外側装着部材を装着したり、左外領域部ＭＬ及び右外領域部ＭＲに外側装着部材を装着してもよい。
【０１１８】
証紙台５００は、図１１に示すように、前壁部５０２と、前壁部５０２の周縁部から後方に突出する周壁部５０３とを備えている。そして、この証紙台５００は、「前壁板５０２を内底面とすると共に周壁部５０３を周壁としつつ、後方に開口する略容器形状」を備えている。また、図１３に示すように、この証紙台５００の後端面５０５は略台形の枠形状とされている。また、図１２及び図１３に示すように、後端面５０５の右端の上方側と左端の下方側とに、取付代５０６、５０９を一体的に備えている。これらの取付代５０６、５０９は板形状とされると共に、後面を後端面５０５と面一にしている（図１３を参照）。また、取付代５０６、５０９は、表裏を貫通する状態にビス挿通孔５０６ａ、５０９ａを備える。尚、図１２に示すように、証紙台５００の右端の上方側と、左端の下方側には、切り欠き部５０８ａ、５０８ｂが設けられている。そして、各取付代５０６、５０９は、各切り欠き部５０８ａ、５０８ｂを通じて、証紙台５００の前方に露呈している。
【０１１９】
前壁部５０２は、図１１〜図１３に示すように、左右の端縁（側端縁）を上下方向に向け、下部の端縁（下端縁）を略水平方向に向け、上部の端縁（上端縁）を略円弧状とする板状体によって構成されている。また、前壁部５０２の上部の端縁（上端縁）の曲率は、内側レール１５の曲率と略等しくされている（図１０を参照）。尚、証紙台５００を遊技盤１０に装着すると、前壁部５０２の上端縁は、「内側レール１５の下半側であって、右側に位置する部位」と略平行な円弧を描くことになる（図１０を参照）。更に、図１１に示すように、前壁部５０２の前面部に、平面形状が略矩形状の凹部５０２ａを備えており、この凹部５０２ａには証紙（図示を省略）が貼付される。尚、この証紙は、遊技機に関する情報（製造メーカ、製造番号等）を表示するための表示部を構成するものである。そして、証紙の前面部には、遊技機に関する情報が印刷されている。また、本証紙台５００は、証紙を装着（貼付）した状態で完成品となり、請求項３の発明の「遊技機情報表示部材」の具体例を構成する。
【０１２０】
周壁部５０３は、図１２及び図１３に示すように、右壁板部５０３ａと、左壁板部５０３ｂと、上壁板部５０３ｃと、底壁板部５０３ｄとを、略台形の枠型に配置した構成を備える。このうち、上壁板部５０３ｃは、前壁板５０２の上端縁に沿った略円弧形状に構成されている。つまり、この上壁板部５０３ｃの上面部５０７は略帯状に構成されつつ、内側レール１５の略等しい曲率を備えている。このため、図１０に示すように、証紙台５００を遊技盤１０に装着すると、上壁板部５０３ｃの上面部５０７と、「内側レール１５の下半側であって、右側に位置する部位」の外側面とが略平行となる。
【０１２１】
上壁板部５０３ｃの上面部５０７は、「支持部」の具体例を構成するものであり、図１１〜図１３に示すように、左方向に下る傾斜部（傾斜面）を構成している。この上壁板部５０３ｃの右端側には、図１１〜図１４に示すように、斜め上方に開口する溝部５０７ａが設けられている。この溝部５０７ａは、「第２の被掛止部」の具体例を構成するものであり、上壁板部５０３をその前後方向に縦断する状態に設けられている。そして、溝部５０７ａは、証紙台５００の前面部及び後面部においても開口している。この溝部５０７ａの上面部５０７で開口する開口部は、長手方向を証紙台５００の奥行き方向に向け、短手方向を証紙台５００の幅方向に向けている。
【０１２２】
上壁板部５０３ｃの上面部５０７の左端側からは、図１１〜図１４に示すように、支持突部５０７ｂが突出している。また、図１１に示すように、上壁板部５０３ｃの前端縁において、右端側に位置する部位からは、脱落防止壁５０７ｃが略円弧状に立ち上げられている。尚、脱落防止壁５０７ｃには、溝部５０７ａ（第２の被掛止部）の前端部を、前方に開放するための切り欠き部５０７ｇが設けられている。
【０１２３】
侵入防止部材６００は、図１５に示すように、基体部６１０と、延出部６２０とを備えている。このうち、基体部６１０は、長尺な帯状に構成され、不正対策部位Ｆと、長手幅及び短手幅が略等しくされている。この基体部６１０は、侵入防止部材６００を不正対策部位Ｆに装着したときに、不正対策部位Ｆの外側面Ｆ１に沿うように略円弧状に配置される。
【０１２４】
延出部６２０も、図１５に示すように、長尺な帯状に構成され、基体部６１０の前端縁から、斜め下方に延出している。そして、侵入防止部材６００を不正対策部位Ｆに装着し、更に、前面枠４（ガラス扉枠）を閉じた状態とすると、この延出部６２０は、その突端部が前面枠４（ガラス扉枠）の裏面部に当接する（図１７を参照）。
【０１２５】
基体部６１０は、図１５〜図１８を用いて示されるように、略帯状の金属板を用いて構成される芯部材６１１（図１９を参照）と、樹脂を用いて構成されると共に基体部６１０の上面部６１０ａを被覆する表皮部材６１２と、を備えている。また、延出部６２０は、表皮部材６１２と同一の樹脂を用いて構成されると共に、表皮部材６１２と一体とされている。つまり、表皮部材６１２及び延出部６２０からなる一体物は、樹脂を用いて一体成形されて作成されるものである。
【０１２６】
芯部材６１１は、図１９に示すように、長尺な帯状に構成され、不正対策部位Ｆと、長手幅及び短手幅が略等しくされている。この芯部材６１１の上面部において左端側に位置する部位には、第１の取付用突起６１３が、略Ｌ字状となりつつ、上方に向かって突出している。つまり、図２０（ａ）に示すように、この第１の取付用突起６１３は、芯部材６１１の上面部の上方に突出する第１の突出片６１３ａと、この第１の突出片６１３ａの突端部から、芯部材６１１の上面部に略平行の方向に突出する（但し、自由端に向かって僅かに上がり傾斜となるように突出する）掛止片６１３ｂと、を備える。
【０１２７】
尚、掛止片６１３ｂは掛止部の具体例を構成すると共に、第１の突出片６１３ａ及び掛止片６１３ｂは何れも平板状とされている。また、第１の取付用突起６１３の自由端、つまり、掛止片６１３ｂの突端部は、芯部材６１１の右端方向を指向している。但し、掛止片６１３ｂの突端部が指向する方向は、他の方向（芯部材６１１の左端方向、芯部材６１１の前方向、芯部材６１１の後方向等）等であってもよい。
【０１２８】
侵入防止部材６００を不正対策部位Ｆに装着すると、「第１の突出片６１３ａ」は遊技領域１１の半径内側方向に突出する状態に配置される。また、掛止片６１３ｂは、第１の突出片６１３ａの突端部から遊技領域１１を周回する方向に屈曲して（左方向に周回するように屈曲して）、突出する状態に配置される（図２１を参照）。
【０１２９】
芯部材６１１の右端部では、図１５及び図２０（ｃ）に示すように、第２の取付用突起６１４が下方に向かって突出している。この第２の取付用突起６１４は、芯部材６１１の右端部と略直交する平板状に構成されている。そして、侵入防止部材６００を不正対策部位Ｆに装着すると、「第２の取付用突起６１４」は遊技領域１１の半径外側方向に突出する状態に配置される。
【０１３０】
図２０（ｂ）に示すように、芯部材６１１の下面部であって、芯部材６１１の右端部寄りの部位からは、下部板バネ部６１５が突出している。この下部板バネ部６１５は、芯部材６１１の右端部寄りの部位に略コの字状に切り込み部を設けると共に、芯部材６１１のうちで、当該「切り込み部」で囲まれて部位を、芯部材６１１の下方に屈曲させて構成されている。
【０１３１】
この芯部材６１１の下面部から下り傾斜状に突出している。そして、自由端を基体部６１０の下面部に近接させて撓んだ状態とすると（芯部材６１１の下面部を基準とする傾斜角度Ｘが小さくなるように、下部板バネ部６１５を撓ませると）、下部板バネ部６１５には、自由端を基体部６１０の下面部から離間させるような付勢力（傾斜角度Ｘを復元する方向への付勢力）を生する。
【０１３２】
表皮部材６１２は、図１５に示すように、芯部材６１１の上面部のうちで、芯部材６１１の左右の端部側を除く部位を被覆するものである。この表皮部材６１２は、図１７に示すように、芯部材６１１の上面部と面当接する本体部６１２ａと、本体部６１２ａの左右の端縁に設けられ、略Ｌ字状の断面を備える把持部６１２ｂ、６１２ｃを備える。
【０１３３】
表皮部材６１２は、把持部６１２ｂ、６１２ｃの突端部を芯部材６１１の下面部に回り込ませた状態で、芯部材６１１に装着される。尚、表皮部材６１２を芯部材６１１に装着しても、芯部材６１１の両端部側と、芯部材６１１の裏面部の大部分は、表皮部材６１２で被覆されない。このため、第１の取付用突起６１３と、第２の取付用突起６１４と、下部板バネ部６１５は、外部に露呈した状態となる。
【０１３４】
次に、侵入防止手段３００の装着の手順の一例を述べる。先ず、証紙台５００が、遊技盤１０の右外領域部ＭＲに装着される。この装着は、不正対策部位Ｆの外側面Ｆ１と、上壁板部５０３ｃの上面部５０７（支持部）とが、所定の隙間（基体部６１０を挿入可能な間隔であって、例えば、基体部６１０の肉厚の１．０２倍〜１．８０倍の間隔の隙間）をおいて対向するように装着される。この際、不正対策部位Ｆの外側面Ｆ１と、上壁板部５０３ｃの上面部５０７（支持部）とは略平行とされる。そして、証紙台５００の前方から、切り欠き部５０８ａ、５０８ｂを通じて、ビス挿通孔５０６ａ、５０９ａにビスを装着して、証紙台５００は遊技盤１０の右外領域部ＭＲに固定される。
【０１３５】
この後、侵入防止部材６００が不正対策部位Ｆに装着される。先ず、図２１（ａ）に示すように、第１の取付用突起６１３を貫通孔ｑに位置合わせする（遊技領域１１の半径に沿って位置合わせする）。この後、第１の取付用突起６１３を貫通孔ｑに挿入する。更に、基端部６１０を不正対策部位Ｆの外側面Ｆ１の外側で、領域レール部ｒの左回転方向に移動し、第１の取付用突起６１３を貫通孔ｑ内で左回転方向に移動する。尚、貫通孔ｑの左右方向に沿った幅が、掛止片６１３ｂ（つまり、掛止部）の左右方向に沿った幅よりも大きくされているため、第１の取付用突起６１３は貫通孔ｑに対して円滑に挿入できる。
【０１３６】
これにより、図２１（ｂ）に示すように、第１の取付用突起６１３が第１の被掛止部Ｑに掛止される。即ち、第１の突出片６１３ａ（前述の挿通部を構成）が、貫通孔ｑに挿通され、掛止片６１３ｂ（つまり、掛止部）が第１の被掛止部Ｑに掛止される。このとき、掛止片６１３ｂは第１の被掛止部Ｑに対して、遊技領域１１の半径外側方向に向かって当接（面当接）され、掛止片６１３ｂは第１の被掛止部Ｑに掛止される。このため、侵入防止部材６００の左端部側６００Ｌ（図１５を参照）は、第１の取付用突起６１３を用いて不正対策部位Ｆに取り付けられる。
【０１３７】
続いて、侵入防止部材６００の右端部側６００Ｒ｛図２２（ａ）｝を、不正対策部位Ｆの外側面Ｆ１と、上壁板部５０３ｃの上面部５０７（支持部）との間の隙間部Ｓ１｛図２２（ａ）｝に挿入する。この挿入作業は、図１４に示すように、右端部側６００Ｒを、証紙台５００の前方から隙間部Ｓ１に挿入する作業である。この挿入作業の際、第２の取付用突起６１４は、切り欠き部５０７ｇを通過して隙間Ｓ１内に前方から後方に向かって進入する。これにより、第２の取付用突起６１４の突端部側は、溝部５０７ａ（第２の被掛止部）の入口側に進入した状態となる。
【０１３８】
この後、第２の取付用突起６１４を溝部５０７ａ（第２の被掛止部）に対し、半径外側方向に沿って直線状（直進状）に挿入し、第２の取付用突起６１４を溝部５０７ａ（第２の被掛止部）の内壁部に掛止する。つまり、この掛止は、図２３に示すように、遊技領域１１の半径外側方向に突出する第２の取付用突起６１４を、遊技領域１１の中心部の方向と、前方に開口する溝部５０７ａ（第２の被掛止部）に挿入するだけで完了する。この際、略平板状の「第２の取付用突起６１４」は、その表裏面を、斜め右下り傾斜状としつつ（遊技領域１１の半径外側方向に沿って右下り傾斜状としつつ）、斜め右下り傾斜状（遊技領域１１の半径外側方向に沿って右下り傾斜状）の溝部５０７ａ（第２の被掛止部）に収まった状態となる。そして、第２の取付用突起６１４の一つの側面６１４ａ（左方向を向いた側面）が、溝部５０７ａ（第２の被掛止部）の内壁部を構成する一つの面部分（溝部５０７ａの左端に位置し、右方向を指向する面部分ある。）５０７ｇに当接（面当接）し、第２の取付用突起６１４の溝部５０７ａ（第２の被掛止部）への掛止を完了する。
【０１３９】
以上のように、侵入防止部材６００の取付を完了すると、基体部６１０は不正対策部位Ｆの外側面Ｆ１に沿うように略円弧状に配置される。このとき、基体部６１０は、不正対策部位Ｆの外側面Ｆ１に密着する。そして、本実施例では、下部板バネ部６１５等の作用で、基体部６１０の不正対策部位Ｆの外側面Ｆ１に対する密着度が高められる。つまり、第２の取付用突起６１４を溝部５０７ａ（第２の被掛止部）に掛止すると、下部板バネ部６１５が、その突端部を支持突部５０７ｂに当接させる。この際、下部板バネ部６１５がその自由端を基体部６１０の下面部に近接させるように撓み、圧縮された状態となる。このため、下部板バネ部６１５の付勢力（復元力）を用いて、侵入防止部材６００の右端部側６００Ｒが、不正対策部位Ｆの方向に押圧されるからである。
【０１４０】
このように、侵入防止部材６００を、不正対策部位Ｆに装着すると、図１８に示すように、延出部６２０は、不正対策部位Ｆの斜め下方に突出する。そして、前面枠４（ガラス扉枠）を閉じた状態とすると、図１６及び図１７に示すように、延出部６２０の突端部が前面枠４（ガラス扉枠）の裏面部に当接する。これにより、「下方から大入賞装置３１に向かって不正部材Ｊを侵入させる侵入経路」を遮断することができる。
【０１４１】
（３）実施例の効果
【０１４２】
本実施例では、第１の取付用突起６１３を遊技領域１１の半径内側方向に突出する状態で配置される略フック形状に構成し、第２の取付用突起６１４を、遊技領域１１の半径外側方向に突出する状態で配置される略平板状に構成する。そして、第１の取付用突起６１３の掛止片６１３ｂ（掛止部）を、第１の被掛止部Ｑに掛止し、侵入防止部材６００の左端部側を不正対策部位Ｆの左端部側に掛止した（引っ掛けた）後、第２の取付用突起６１４を第２の被掛止部（溝部５０７ａ）に挿入し、侵入防止部材６００の右端部側を証紙台５００に掛止する。
【０１４３】
つまり、本実施例では、後から掛止される「第２の取付用突起６１４」が、フック状ではなく、略平板状構成され、その掛止も、第２の被掛止部（溝部５０７ａ）に、「単に挿入するだけ」で完了する。このため、左右の取付用突起６１３、６１３ｅの間隔と、第１の被掛止部Ｑ及び第２の被掛止部（溝部５０７ａ）の間隔との間にクリアランス（遊び）を無くしたり、少なくしても、侵入防止部材６００の取付を円滑に行うことができる。そして、このようにクリアランス（遊び）を無くすること等が可能であると共に、不正対策部位Ｆの右端部側が証紙台５００（支持部）によって支持されるため、侵入防止部材６００が、不必要に下方に弛んだ状態となることはない。しかも、下部板バネ部６１５の付勢力を用いて、基体部６１０の不正対策部位Ｆの外側面Ｆ１に対する密着度が高められている。従って、本実施例によると、侵入防止部材６００の取付状態の良好化の要請と取付作業の円滑化の要請とを同時に満足させることができる。
【０１４４】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１４５】
即ち、本実施例と異なり、侵入防止部材の右端部側に第１の取付用突起を設け、侵入防止部材の左端部側に第２の取付用突起を設けると共に、不正対策部位の右端部側に第１の取付用突起を設け、不正対策部位の左端部側に第２の取付用突起を設けてもよい。また、外側装着部材は証紙台５００に限定されない。例えば、外領域Ｍに、証紙台５００と共に他の外側装着部材を装着し、当該他の外側装着部材に対して「第２の被掛止部」を設けてもよい。
【０１４６】
本実施例と異なり、右外領域部ＭＲと、左外領域部ＭＬとに各々、別個の外側装着部材を装着してもよい。この場合、基体部の左右方向に沿った各端部側に対して、遊技領域の外側方向に突出する状態に配置される突出片によって構成される掛止部を設ける。そして、第１の部材の支持部と、第２の部材の支持部との各々に対して、掛止部が挿入状に掛止される被掛止部を設けてもよい。また、右外領域部ＭＲと、左外領域部ＭＬとに至る単一の外側装着部材を装着してもよい。
【０１４７】
各請求項の発明では、図２４（ａ）に示す変形例１のように、基体部６１０の下面部から延出部６２０を延出させてもよい。また、各請求項の発明では、図２４（ｂ）に示す変形例２のように、第１の被掛止部Ｑを、不正対策部位Ｆの外側面の側に設けてもよい。更に、図２４（ｃ）に示す変形例３のように、第２の取付用突起６１４を略平板状以外の形状（例えば、屈曲する板状）に設けてもよい。つまり、第２の被掛止部８００に挿入されて、その内壁部に掛止可能（つまり、第２の被掛止部８００に挿入するだけでその内壁部に掛止可能）であれば、その形状を特に問わない。
【０１４８】
上記した各実施例や各変形例の形態では、図柄制御部１６０を音声・ランプ制御部１７０の制御下で用いる態様を説明した。即ち、図柄制御部１６０を、主制御部１４０の２次側（下流）にある音声・ランプ制御部１７０を介して、主制御部１４０の２次側（下流）に接続する設ける態様を例示したが、図柄制御部１６０を音声・ランプ制御部１７０よりも１次側（上流側）に配置することもできる。つまり、図２５の変形例４のように、主制御部１４０の２次側（下流）に所定の伝送経路５００ａを用いて図柄制御部１６０を接続し、図柄制御部１６０の２次側に所定の伝送経路５００ｂを用いて音声・ランプ制御部１７０を接続する。そして、音声・ランプ制御部１７０の２次側（下流）に所定の伝送経路を用いて、液晶柄表示装置２７を接続してもよい。
【０１４９】
また、上記した各実施例や各変形例の形態では、液晶表示装置２７での図柄（本図柄、疑似図柄、背景図柄、キャラクタ図柄等）や保留数の表示制御、及び普通図柄表示装置３２での普通図柄の表示制御を図柄表示部１６０で行うものとしていたが、このうち、液晶表示装置２７における本図柄と保留数の表示制御と、普通図柄表示装置３２における普通図柄の表示制御とを主制御部１４０で行い、液晶表示装置２７における疑似図柄や背景図柄やキャラクタ図柄等の演出専用図柄の表示制御のみを図柄表示部１６０で行うようにしても良い。
【産業上の利用可能性】
【０１５０】
本発明は、遊技機を製造、販売等する分野において利用できる。
【符号の説明】
【０１５１】
１；遊技機、
４；前面枠（ガラス扉枠）、
１０；遊技盤、
１０ａ；前面部、
１１；遊技領域、
３００；侵入防止手段、
５００；証紙台、
５０７；上壁板部の上面部（支持部）、
５０７ａ；溝部（第２の被掛止部）、
６１０；基体部、
６２０；延出部、
６１１；芯部材、
６１２；表皮部材、
６１３；第１の取付用突起、
６１３ａ；第１の突出片、
６１３ｂ；掛止片、
６１４；第２の取付用突起、
６１５；下部板バネ部。
Ｆ；不正対策部位、
Ｆ１；外側面、
Ｆ２；内側面、
Ｑ；第１の被掛止部、
Ｒ；レール部材、
ｒ；領域レール部。
【図１】
2010274136.tif 000003
【図２】
2010274136.tif 000004
【図３】
2010274136.tif 000005
【図４】
2010274136.tif 000006
【図５】
2010274136.tif 000007
【図６】
2010274136.tif 000008
【図７】
2010274136.tif 000009
【図８】
2010274136.tif 000010
【図９】
2010274136.tif 000011
【図１０】
2010274136.tif 000012
【図１１】
2010274136.tif 000013
【図１２】
2010274136.tif 000014
【図１３】
2010274136.tif 000015
【図１４】
2010274136.tif 000016
【図１５】
2010274136.tif 000017
【図１６】
2010274136.tif 000018
【図１７】
2010274136.tif 000019
【図１８】
2010274136.tif 000020
【図１９】
2010274136.tif 000021
【図２０】
2010274136.tif 000022
【図２１】
2010274136.tif 000023
【図２２】
2010274136.tif 000024
【図２３】
2010274136.tif 000025
【図２４】
2010274136.tif 000026
【図２５】
2010274136.tif 000027
【図２６】
2010274136.tif 000028
【図２７】
2010274136.tif 000029